(57)【要約】【課題】携帯電話機にデータとして簡単に取り込める電話帳リストの作成。【解決手段】印刷装置は、携帯電話機から有線または無線により電話帳データを受信する外部通信インターフェイスと、受信した電話帳データに基づき符号画像を生成する符号画像生成部と、受信した電話帳データに基づき、符号画像を有する電話帳リストを作成する電話帳リスト作成部と、作成された前記電話帳リストを媒体に印刷する印刷部と、を備える。【選択図】図８
2007237559.tif 000002
【特許請求の範囲】
【請求項１】
（Ａ）携帯電話機から有線または無線により電話帳データを受信する外部通信インターフェイスと、
（Ｂ）前記外部通信インターフェイスにより受信された前記電話帳データに基づき符号画像を生成する符号画像生成部と、
（Ｃ）前記外部通信インターフェイスにより受信された前記電話帳データに基づき、前記符号画像生成部により生成された前記符号画像を有する電話帳リストを作成する電話帳リスト作成部と、
（Ｄ）前記電話帳リスト作成部により作成された前記電話帳リストを媒体に印刷する印刷部と、
（Ｅ）を備えたことを特徴とする印刷装置。
【請求項２】
前記符号画像がＱＲコードであることを特徴とする請求項１に記載の印刷装置。
【請求項３】
前記符号画像がＪＡＮコードであることを特徴とする請求項１または２に記載の印刷装置。
【請求項４】
前記外部通信インターフェイスは、赤外線通信により前記携帯電話機から前記電話帳データを受信することを特徴とする請求項１〜３のいずれか１項に記載の印刷装置。
【請求項５】
前記符号画像生成部は、前記電話帳データの登録データの各件ごとに前記符号画像を生成することを特徴とする請求項１〜４のいずれか１項に記載の印刷装置。
【請求項６】
前記電話帳リスト作成部は、前記電話帳データに基づき、前記符号画像の他に、名称、電話番号、住所等の個人情報が記載された前記電話帳リストを作成することを特徴とする請求項１〜５のいずれか１項に記載の印刷装置。
【請求項７】
前記符号画像生成部は、前記電話帳データに基づき、携帯電話サービスの提供事業者別に前記符号画像を生成することを特徴とする請求項１〜６のいずれか１項に記載の印刷装置。
【請求項８】
前記電話帳リストには、前記提供事業者別の複数の種類の前記符号画像が記載されることを特徴とする請求項７に記載の印刷装置。
【請求項９】
前記媒体の種類に応じて前記印刷部により前記媒体に印刷される前記符号画像のサイズが異なることを特徴とする請求項１〜８のいずれか１項に記載の印刷装置。
【請求項１０】
前記符号画像生成部は、前記符号画像のデータ量よりも前記電話帳データが大きい場合に、前記電話帳データの中から所定の優先順位に基づき選出された一部のデータに基づき前記符号画像を生成することを特徴とする請求項１〜９のいずれか１項に記載の印刷装置。
【請求項１１】
前記媒体に印刷される前記電話帳リストには、前記符号画像生成部により選出された前記一部のデータと、前記符号画像生成部により選出されなかった他のデータとが異なる色にて表記されることを特徴とする請求項１０に記載の印刷装置。
【請求項１２】
前記印刷部により印刷された前記媒体から前記電話帳リストを読み取る画像読み取り部と、
前記画像読み取り部により読み取られた前記電話帳リストに含まれる前記符号画像を解読する解読部と、
を備えたことを特徴とする請求項１〜１１のいずれか１項に記載の印刷装置。
【請求項１３】
前記符号画像生成部は、前記解読部により前記符号画像が解読されて生成された電話帳データに基づき符号画像を生成することを特徴とする請求項１２に記載の印刷装置。
【請求項１４】
（Ａ）携帯電話機から有線または無線により電話帳データを受信する外部通信インターフェイスと、
（Ｂ）前記外部通信インターフェイスにより受信された前記電話帳データに基づき符号画像を生成する符号画像生成部と、
（Ｃ）前記外部通信インターフェイスにより受信された前記電話帳データに基づき、前記符号画像生成部により生成された前記符号画像を有する電話帳リストを作成する電話帳リスト作成部と、
（Ｄ）前記電話帳リスト作成部により作成された前記電話帳リストを媒体に印刷する印刷部と、
（Ｅ）を備え、
（Ｆ）前記符号画像がＱＲコードであり、
（Ｇ）前記外部通信インターフェイスは、赤外線通信により前記携帯電話機から前記電話帳データを受信し、
（Ｈ）前記符号画像生成部は、前記電話帳データの登録データの各件ごとに前記符号画像を生成し、
（Ｉ）前記電話帳リスト作成部は、前記電話帳データに基づき、前記符号画像の他に、名称、電話番号、住所等の個人情報が記載された前記電話帳リストを作成し、
（Ｊ）前記符号画像生成部は、前記電話帳データに基づき、携帯電話サービスの提供事業者別に前記符号画像を生成し、
（Ｋ）前記電話帳リストには、前記提供事業者別の複数の種類の前記符号画像が記載され、
（Ｌ）前記媒体の種類に応じて前記印刷部により前記媒体に印刷される前記符号画像のサイズが異なり、
（Ｍ）前記符号画像生成部は、前記符号画像のデータ量よりも前記電話帳データが大きい場合に、前記電話帳データの中から所定の優先順位に基づき選出された一部のデータに基づき前記符号画像を生成し、
（Ｎ）前記媒体に印刷される前記電話帳リストには、前記符号画像生成部により選出された前記一部のデータと、前記符号画像生成部により選出されなかった他のデータとが異なる色にて表記され、
（Ｏ）前記印刷部により印刷された前記媒体から前記電話帳リストを読み取る画像読み取り部と、前記画像読み取り部により読み取られた前記電話帳リストに含まれる前記符号画像を解読する解読部と、を備え、
（Ｐ）前記符号画像生成部は、前記解読部により前記符号画像が解読されて生成された電話帳データに基づき符号画像を生成することを特徴とする印刷装置。
【請求項１５】
携帯電話機から電話帳データを有線または無線により印刷装置に取り込むステップと、
前記印刷装置に取り込んだ前記電話帳データに基づき前記印刷装置により符号画像を生成するステップと、
前記印刷装置に取り込んだ前記電話帳データに基づき、生成した前記符号画像を有する電話帳リストを前記印刷装置により作成するステップと、
前記印刷装置により作成された前記電話帳リストを前記印刷装置により媒体に印刷するステップと、
を有することを特徴とする電話帳データの出力方法。
【請求項１６】
印刷装置にて実行されるプログラムであって、
携帯電話機から有線または無線により電話帳データを受信するステップと、
受信した前記電話帳データに基づき符号画像を生成するステップと、
受信した前記電話帳データに基づき、生成された前記符号画像を有する電話帳リストを作成するステップと、
作成された前記電話帳リストを媒体に印刷するステップと、
を実行することを特徴とするプログラム。
【発明の詳細な説明】
【技術分野】
【０００１】
本発明は、携帯電話から受信した電話帳データに基づき電話帳リストを作成して出力する印刷装置、電話帳データの出力方法およびプログラムに関する。
【背景技術】
【０００２】
近年、ほとんどの携帯電話機には、電話帳機能が設けられている。この電話帳機能とは、事前に登録した相手に対して簡単に電話をかけることができる機能である。さらに、この電話帳機能を利用すれば、相手のＦＡＸ番号や住所などといった個人情報を簡単に記憶させることができる。
【０００３】
さらに、最近の携帯電話機には、カメラ機能を備えた携帯電話機が多数登場している。このようなカメラ機能を備えた携帯電話機は、一般に普及しているデジタルカメラと同様に、人物や風景等の撮影を楽しむことができる他、ＱＲコード等の符号画像を撮影してその符号画像を解読する機能までも備えていることが多い。ここで、ＱＲコード等の符号画像とは、様々な情報を含んだ画像であり、情報が２次元的にコード化されて画像化されたものである。このＱＲコード等の符号画像は、「２次元コード」ともいう。そして、このようなＱＲコード等の符号画像を利用して様々な技術が提案されている。具体的には、例えば、（１）ＱＲコード等の符号画像を撮影して読み込んで、読み込んだ符号画像を解読し、この符号画像に含まれるＵＲＬや電話番号を記憶する携帯電話機（特許文献１参照）や、（２）ＱＲコード等の符号画像を印刷するためのプリントシステム（特許文献２参照）などが提案されている。
【特許文献１】特開２００２−８２８５５号公報
【特許文献２】特開２００５−２３１２８７号公報
【発明の開示】
【発明が解決しようとする課題】
【０００４】
一方、携帯電話機に搭載された電話帳のデータを紙等の媒体に印刷する印刷装置がある。この印刷装置は、携帯電話機から赤外線データ通信等を利用して携帯電話機の電話帳データを取得して、その取得した電話帳データに基づき電話帳リストを作成して、その作成した電話帳リストを紙等の媒体に印刷する。この電話帳リストは、携帯電話機に登録された電話帳データを紙等の媒体として物理的に保存することができ、携帯電話機の電話帳のデータをユーザが簡単に閲覧することができる。
【０００５】
しかしながら、このような紙等の媒体に印刷された電話帳リストでは、次のような問題があった。すなわち、自分の携帯電話機等にデータを登録しようとしたときに、紙等の媒体に印刷された電話帳リストを見ながらユーザがいちいち手で入力して登録しなければならず、非常に手間がかかる上、入力作業に大幅な時間を要し、非常に煩雑であるといった問題があった。
【０００６】
本発明は、このような事情に鑑みてなされたものであって、その目的は、紙等の媒体に印刷された電話帳リストから携帯電話機の電話帳に簡単にデータとして取り込むことができるようにすることにある。
【課題を解決するための手段】
【０００７】
前記目的を達成するための主たる発明は、
（Ａ）携帯電話機から有線または無線により電話帳データを受信する外部通信インターフェイスと、
（Ｂ）前記外部通信インターフェイスにより受信された前記電話帳データに基づき符号画像を生成する符号画像生成部と、
（Ｃ）前記外部通信インターフェイスにより受信された前記電話帳データに基づき、前記符号画像生成部により生成された前記符号画像を有する電話帳リストを作成する電話帳リスト作成部と、
（Ｄ）前記電話帳リスト作成部により作成された前記電話帳リストを媒体に印刷する印刷部と、
（Ｅ）を備えたことを特徴とする印刷装置である。
【０００８】
本発明の他の特徴は、本明細書及び添付図面の記載により明らかにする。
【発明を実施するための最良の形態】
【０００９】
本明細書及び添付図面の記載により、少なくとも以下の事項が明らかとなる。
【００１０】
（Ａ）携帯電話機から有線または無線により電話帳データを受信する外部通信インターフェイスと、
（Ｂ）前記外部通信インターフェイスにより受信された前記電話帳データに基づき符号画像を生成する符号画像生成部と、
（Ｃ）前記外部通信インターフェイスにより受信された前記電話帳データに基づき、前記符号画像生成部により生成された前記符号画像を有する電話帳リストを作成する電話帳リスト作成部と、
（Ｄ）前記電話帳リスト作成部により作成された前記電話帳リストを媒体に印刷する印刷部と、
（Ｅ）を備えたことを特徴とする印刷装置。
【００１１】
このような印刷装置にあっては、携帯電話機に格納された電話帳データを取得し、取得した電話帳データに基づき、符号画像を有する電話帳リストを作成して媒体に印刷することができる。これによって、電話帳リストに設けられた符号画像を携帯電話機のカメラなどで撮影して読み込むことで、携帯電話機の電話帳等に簡単にデータとして取り込むことができる。
【００１２】
かかる印刷装置にあっては、前記符号画像がＱＲコードであっても良い。このように符号画像がＱＲコードであれば、電話帳リストに設けられたこのＱＲコードを携帯電話機のカメラなどで撮影して読み込むことで、携帯電話機の電話帳等に簡単にデータとして取り込むことができる。
【００１３】
また、かかる印刷装置にあっては、前記符号画像がＪＡＮコードであっても良い。このように符号画像がＪＡＮコードであれば、電話帳リストに設けられたこのＪＡＮコードを携帯電話機のカメラなどで撮影して読み込むことで、携帯電話機の電話帳等に簡単にデータとして取り込むことができる。
【００１４】
また、かかる印刷装置にあっては、前記外部通信インターフェイスは、赤外線通信により前記携帯電話機から前記電話帳データを受信しても良い。このように外部通信インターフェイスが赤外線通信により携帯電話機から電話帳データを受信すれば、携帯電話機に格納された電話帳データを簡単に印刷装置に取り込むことができる。
【００１５】
また、かかる印刷装置にあっては、前記符号画像生成部は、前記電話帳データの登録データの各件ごとに前記符号画像を生成しても良い。このように符号画像生成部が電話帳データの登録データの各件ごとに符号画像を生成すれば、電話帳データの登録データの各件ごとに、携帯電話機の電話帳等に簡単にデータとして取り込むことができる。
【００１６】
また、かかる印刷装置にあっては、前記電話帳リスト作成部は、前記電話帳データに基づき、前記符号画像の他に、名称、電話番号、住所等の個人情報が記載された前記電話帳リストを作成しても良い。このように電話帳リスト作成部が、電話帳データに基づき、符号画像の他に、名称、電話番号、住所等の個人情報が記載された電話帳リストを作成すれば、電話帳リストに記載された相手を簡単に確認することができる。
【００１７】
また、かかる印刷装置にあっては、前記符号画像生成部は、前記電話帳データに基づき、携帯電話サービスの提供事業者別に前記符号画像を生成しても良い。このように符号画像生成部が、電話帳データに基づき、携帯電話サービスの提供事業者別に符号画像を生成すれば、携帯電話サービスの提供事業者に応じて携帯電話機の電話帳等に簡単にデータとして取り込むことができる。
【００１８】
また、かかる印刷装置にあっては、前記電話帳リストには、前記提供事業者別の複数の種類の前記符号画像が記載されても良い。このように電話帳リストに提供事業者別の複数の種類の前記符号画像が記載されていることで、携帯電話サービスの提供事業者に応じて携帯電話機の電話帳等に簡単にデータとして取り込むことができる。
【００１９】
また、かかる印刷装置にあっては、前記媒体の種類に応じて前記印刷部により前記媒体に印刷される前記符号画像のサイズが異なっても良い。このように媒体の種類に応じて印刷部により媒体に印刷される符号画像のサイズが異なることで、媒体の種類が異なる場合であっても、携帯電話機の電話帳等に確実にデータとして取り込ませるようにすることが十分に可能となる。
【００２０】
また、かかる印刷装置にあっては、前記符号画像生成部は、前記符号画像のデータ量よりも前記電話帳データが大きい場合に、前記電話帳データの中から所定の優先順位に基づき選出された一部のデータに基づき前記符号画像を生成しても良い。これによって、符号画像のデータ量よりも電話帳データが大きい場合であっても、符号画像をスムーズに生成することができる。
【００２１】
また、かかる印刷装置にあっては、前記媒体に印刷される前記電話帳リストには、前記符号画像生成部により選出された前記一部のデータと、前記符号画像生成部により選出されなかった他のデータとが異なる色にて表記されても良い。このように符号画像生成部により選出された一部のデータと、符号画像生成部により選出されなかった他のデータとが異なる色にて表記されることで、符号画像生成部により選出されなかった他のデータを認識することができる。
【００２２】
また、かかる印刷装置にあっては、前記印刷部により印刷された前記媒体から前記電話帳リストを読み取る画像読み取り部と、前記画像読み取り部により読み取られた前記電話帳リストに含まれる前記符号画像を解読する解読部と、を備えても良い。これら画像読み取り部および解読部を備えれば、印刷部により印刷された媒体から電話帳リストを読み取って、その電話帳リストに含まれる符号画像を解読することができる。
【００２３】
また、かかる印刷装置にあっては、前記符号画像生成部は、前記解読部により前記符号画像が解読されて生成された電話帳データに基づき符号画像を生成しても良い。このよううに解読部により符号画像が解読されて生成された電話帳データに基づき符号画像が生成されれば、画像読み取り部により読み取られた符号画像と同じデータを有する符号画像を生成することができる。
【００２４】
（Ａ）携帯電話機から有線または無線により電話帳データを受信する外部通信インターフェイスと、
（Ｂ）前記外部通信インターフェイスにより受信された前記電話帳データに基づき符号画像を生成する符号画像生成部と、
（Ｃ）前記外部通信インターフェイスにより受信された前記電話帳データに基づき、前記符号画像生成部により生成された前記符号画像を有する電話帳リストを作成する電話帳リスト作成部と、
（Ｄ）前記電話帳リスト作成部により作成された前記電話帳リストを媒体に印刷する印刷部と、
（Ｅ）を備え、
（Ｆ）前記符号画像がＱＲコードであり、
（Ｇ）前記外部通信インターフェイスは、赤外線通信により前記携帯電話機から前記電話帳データを受信し、
（Ｈ）前記符号画像生成部は、前記電話帳データの登録データの各件ごとに前記符号画像を生成し、
（Ｉ）前記電話帳リスト作成部は、前記電話帳データに基づき、前記符号画像の他に、名称、電話番号、住所等の個人情報が記載された前記電話帳リストを作成し、
（Ｊ）前記符号画像生成部は、前記電話帳データに基づき、携帯電話サービスの提供事業者別に前記符号画像を生成し、
（Ｋ）前記電話帳リストには、前記提供事業者別の複数の種類の前記符号画像が記載され、
（Ｌ）前記媒体の種類に応じて前記印刷部により前記媒体に印刷される前記符号画像のサイズが異なり、
（Ｍ）前記符号画像生成部は、前記符号画像のデータ量よりも前記電話帳データが大きい場合に、前記電話帳データの中から所定の優先順位に基づき選出された一部のデータに基づき前記符号画像を生成し、
（Ｎ）前記媒体に印刷される前記電話帳リストには、前記符号画像生成部により選出された前記一部のデータと、前記符号画像生成部により選出されなかった他のデータとが異なる色にて表記され、
（Ｏ）前記印刷部により印刷された前記媒体から前記電話帳リストを読み取る画像読み取り部と、前記画像読み取り部により読み取られた前記電話帳リストに含まれる前記符号画像を解読する解読部と、を備え、
（Ｐ）前記符号画像生成部は、前記解読部により前記符号画像が解読されて生成された電話帳データに基づき符号画像を生成することを特徴とする印刷装置。
【００２５】
携帯電話機から電話帳データを有線または無線により印刷装置に取り込むステップと、
前記印刷装置に取り込んだ前記電話帳データに基づき前記印刷装置により符号画像を生成するステップと、
前記印刷装置に取り込んだ前記電話帳データに基づき、生成した前記符号画像を有する電話帳リストを前記印刷装置により作成するステップと、
前記印刷装置により作成された前記電話帳リストを前記印刷装置により媒体に印刷するステップと、
を有することを特徴とする電話帳データの出力方法。
【００２６】
印刷装置にて実行されるプログラムであって、
携帯電話機から有線または無線により電話帳データを受信するステップと、
受信した前記電話帳データに基づき符号画像を生成するステップと、
受信した前記電話帳データに基づき、生成された前記符号画像を有する電話帳リストを作成するステップと、
作成された前記電話帳リストを媒体に印刷するステップと、
を実行することを特徴とするプログラム。
【００２７】
＝＝＝印刷装置の概要＝＝＝
本発明に係る印刷装置の一実施形態について説明する。なお、ここでは、印刷装置として、原稿から画像を読み取って画像データを生成するスキャナ部と、媒体に対して印刷を施すプリンタ部とを備えた複合装置の場合を例にして説明する。なお、ここで、スキャナ部は、「画像読み取り部」に相当する。また、プリンタ部は、「印刷部」に相当する。
【００２８】
図１〜図６は、複合装置の一例について説明したものである。図１は、複合装置１の外観を示した斜視図である。図２は、複合装置１のスキャナ部１０の概要を説明する斜視図である。図３は、複合装置１のプリンタ部３０の概要を説明する斜視図である。図４は、複合装置１の内部構成を概略的に説明する説明図である。図５は、複合装置１の操作パネル２を説明する平面図である。図６は、複合装置１の制御部の構成例を説明した図である。
【００２９】
この複合装置１は、原稿から画像を読み取って画像データを生成するスキャナ機能と、ホストコンピュータ（図示外）から送られてきた印刷データに基づき印刷用紙等の各種媒体に印刷を施すプリンタ機能と、原稿から読み取った画像を媒体に印刷して複写するローカルコピー機能とを備えている。この複合装置１は、図１に示すように、その上部６に原稿５から画像を読み取るためのスキャナ部１０を備えている。また、この複合装置１は、その下部９に印刷用紙等の媒体Ｓに印刷をするためのプリンタ部３０を備えている。また、この複合装置１の前面部には、操作パネル２と、カードリーダー部２０と、赤外線受光部３２とが設けられている。
【００３０】
スキャナ部１０は、図２に示すように、原稿５がセットされるガラス板が設けられた原稿台１１と、当該原稿台１１を上方から覆う原稿台カバー１２とを備えている。原稿台カバー１２は、複合装置１の後端部に回動可能に取付けられ、原稿台１１の上面部を開閉するように設けられている。また、本実施形態では、原稿台１１の左側部には、スキャナ部１０の内部に設けられたスキャナヘッド（図示外）を固定する固定用レバー２８が設けられている。この固定用レバー２８は、当該複合装置の輸送時などにおいてスキャナヘッド（図示外）を移動しないように固定するためのものである。
【００３１】
一方、プリンタ部３０は、図３に示すように、スキャナ部１０を上方に持ち上げることによって、その内部が外部に開放されるように構成されている。つまり、スキャナ部１０は、複合装置１の後部にヒンジ部３４を介して回動自在に装着されている。スキャナ部１０が上方へと持ち上げられると、プリンタ部３０の内部が開放される。プリンタ部３０の内部には、キャリッジ４１などが配置されている。このキャリッジ４１には、インクを吐出するプリンタヘッド２１が設けられている。プリンタヘッド２１は、キャリッジ４１とともに移動しながら用紙等の媒体に向けてインクを吐出して印刷を施す。
【００３２】
この他に、プリンタ部３０には、媒体を搬送する搬送部（不図示）が設けられている。この搬送部は、複合装置１の背部に設けられた背部給紙口２２又は複合装置１の前部に設けられた前部給紙口２３にセットされた媒体をプリンタ部３０の内部へと送り込み、そして、プリンタヘッド２１により印刷された媒体を、複合装置１の前部に設けられた排紙トレイ２５を通じて排紙する。
【００３３】
また、複合装置１の下部９の前面の左右には、インクカートリッジカバー２７が設けられている。インクカートリッジ２６の取り付け時又は交換時、ユーザは、このインクカートリッジカバー２７を開き、インクカートリッジ２６を取り付け又は交換する。取り付け後又は交換後にユーザがインクカートリッジカバー２７を閉じることにより、インクカートリッジ２６のセットが完了する。このインクカートリッジ２６には、インクが収容されており、このインクは、キャリッジ４１に搭載されたプリンタヘッド２１に供給される。
【００３４】
カードリーダー部２０は、各種メモリカードを差し込むなどしてセットする部分である。そして、カードリーダー部２０は、セットされた各種メモリカードから、格納された画像データを読み込む。ここで読み込まれた画像データの画像は、プリンタ部３０により印刷することができる。カードリーダー部２０にセットすることができるメモリカードとしては、例えば、コンパクトフラッシュやスマートメディア、メモリスティック、ＳＤメモリカード、ｘＤピクチャーカードなどといった各種フラッシュメモリがある。この他、カードリーダー部２０は、デジタルカメラや携帯電話で使用される各種メモリカードに対応することができる。
【００３５】
赤外線受光部３２は、携帯電話機等の携帯端末をはじめ、その他の赤外線通信可能な外部の機器との間で赤外線通信（ＩｒＤＡ：Infrared Data Association）を行うためのものである。外部の機器との間で赤外線通信を行う場合には、その外部の機器の赤外線発光部が当該複合装置の赤外線受光部３２に向けてられて赤外線が出力されて通信が行われる。
【００３６】
＝＝＝スキャナ部・プリンタ部の内部機構＝＝＝
図４は、スキャナ部１０およびプリンタ部３０の内部機構を示したものである。
【００３７】
＜スキャナ部＞
スキャナ部１０は、同図の上部に示すように、原稿台１１の下側に、スキャナヘッド６０と、このスキャナヘッド６０を原稿台１１に対して所定の間隔を保ちつつ図中矢印Ａ方向に沿って平行に移動させる駆動機構６２と、このスキャナヘッド６０を支持しつつその移動を案内するガイド６４とを備えている。
【００３８】
スキャナヘッド６０には、原稿台１１を介して原稿５に対し光を照射する光源としての露光ランプ６６と、原稿５により反射された反射光が入射するレンズ７０と、このレンズ７０を通じてスキャナヘッド６０の内部に取り込まれた反射光を受光するイメージセンサ７２とが設けられている。
【００３９】
本実施形態では、このイメージセンサ７２は、光信号を電気信号に変換するフォトダイオード等の光電変換素子が列状に配置されたリニアＣＣＤセンサにより構成されている。このイメージセンサ７２により読み取られた画像に関するデータは、制御部５０に出力される。
【００４０】
また、駆動機構６２は、スキャナヘッド６０に接続されたタイミングベルト７４と、このタイミングベルト７４が掛け渡された一対のプーリ７５、７６と、一方のプーリ７５を回転駆動する駆動モータ７７とを備えている。駆動モータ７７は、制御部５０からの制御信号によって駆動制御される。
【００４１】
＜プリンタ部＞
一方、プリンタ部３０は、図４の下部に示すように、プリンタ用キャリッジ４１と、このプリンタ用キャリッジ４１に搭載されたプリンタヘッド２１と、プリンタ用キャリッジ４１を媒体Ｓに対して所定の間隔を保持しつつ相対的に平行に移動させる駆動機構２４と、媒体Ｓをプリンタ用キャリッジ４１の移動方向と直交する方向に沿って搬送する搬送機構３６とを備えている。
【００４２】
プリンタ用キャリッジ４１には、カートリッジ装着部が設けられ、このカートリッジ装着部には、ブラック（Ｋ）、シアン（Ｃ）、マゼンタ（Ｍ）、イエロ（Ｙ）等のインクが収容されたインクカートリッジが装着される。プリンタヘッド２１は、インクカートリッジから供給された各色のインクを媒体Ｓに向けて吐出して当該媒体Ｓ上にドットを形成して、媒体Ｓに画像を印刷する。プリンタヘッド２１には、各色別に、即ちここでは、ブラック（Ｋ）、シアン（Ｃ）、マゼンタ（Ｍ）およびイエロ（Ｙ）の各色別にノズルが設けられている。プリンタヘッド２１は、このノズルからそれぞれ異なる色のインクを媒体に向けて吐出する。
【００４３】
駆動機構２４は、プリンタ用キャリッジ４１に接続されたタイミングベルト４５と、このタイミングベルト４５に噛合されたプーリ４４と、このプーリ４４を回転駆動するキャリッジモータ４２と、プリンタ用キャリッジ４１の移動を案内するガイドレール４６と、プリンタ用キャリッジ４１の位置を検出するリニア式エンコーダとしてリニア式エンコーダ符号板５１およびこのリニア式エンコーダ符号板５１を読み取る検出部５２とを備えている。この駆動機構２４は、キャリッジモータ４２を駆動してプーリ４４を介してタイミングベルト４５を回転させる。これにより、プリンタ用キャリッジ４１は、媒体Ｓに対してガイドレール４６に沿って相対的に移動する。キャリッジモータ４２は、制御部５０からの制御信号により駆動制御される。
【００４４】
搬送機構３６は、プラテン１４と、搬送ローラ１７Ａと、当該搬送ローラ１７Ａを回転駆動する搬送モータ１５と、媒体Ｓが所定位置に到達したか否かを検出する紙検知センサ５３と、搬送ローラ１７Ａの回転量を検出するロータリ式エンコーダ５６とを備えている。プラテン１４は、プリンタヘッド２１に対向して配置されている。搬送モータ１５が駆動すると、搬送ローラ１７Ａが回転して、媒体Ｓがプラテン１４上を搬送される。搬送モータ１５は、制御部５０からの制御信号により駆動制御される。
【００４５】
印刷時には、媒体Ｓが搬送ローラ１７Ａにより間欠的に所定の搬送量で搬送され、その間欠的な搬送の合間にプリンタ用キャリッジ４１が、搬送ローラ１７Ａによる搬送方向に対して交差する方向に沿って移動しながら、プリンタヘッド２１から媒体Ｓに向けてインクが吐出されて印刷が施される。
【００４６】
＝＝＝操作パネル＝＝＝
図５は、操作パネル２について詳しく説明した図である。操作パネル２は、液晶ディスプレイ８０と、各種ボタンを有する。ここで設けられているボタンの種類としては、例えば、電源ボタン８２、設定ボタン８３、ストップボタン８４、モード選択ボタン８５、カーソル操作ボタン群８６、スタートボタン８７等がある。電源ボタン８２は、複合装置１の電源をオン／オフするためのボタンである。設定ボタン８３は、ヘッドクリーニング、ノズルチェック、インク残量等の設定や確認を行うためのボタンである。ストップボタン８４は、動作中の機能を中止するためのボタンである。モード選択ボタン８５は、複合装置１の機能の選択を行うためのボタンである。カーソル操作ボタン群８６は、液晶ディスプレイ８０に表示される項目の設定等を行うためのボタンである。スタートボタン８７は、カラーボタン８７Ｃ及びモノクロボタン８７Ｂを有し、カラー印刷又はモノクロ印刷の開始に用いられる。
【００４７】
＝＝＝制御部＝＝＝
＜制御部の構成＞
図６は、複合装置１の制御部５０の構成の一例について説明したものである。この制御部５０は、同図に示すように、ＣＰＵ９０と、メモリ９２と、外部通信インターフェイス９４と、操作入力インターフェイス９６と、表示制御部９８と、スキャナ制御部１００と、画像処理部１０２と、プリンタ制御部１０４と、カードインターフェイス１０６と、赤外線通信インターフェイス１１２とを備えている。これらＣＰＵ９０やメモリ９２、外部通信インターフェイス９４、操作入力インターフェイス９６、表示制御部９８、スキャナ制御部１００、画像処理部１０２、プリンタ制御部１０４、カードインターフェイス１０６、赤外線通信インターフェイス１１２は、バス１０８を介して接続されている。
【００４８】
ＣＰＵ９０は、複合装置１全体の制御を司る。すなわち、ＣＰＵ９０は、外部通信インターフェイス９４や操作入力インターフェイス９６、表示制御部９８、スキャナ制御部１００、画像処理部１０２、プリンタ制御部１０４、カードインターフェイス１０６、赤外線通信インターフェイス１１２を制御する。メモリ９２は、ＣＰＵ９０により実行されるプログラムやそのプログラムで使用されるデータ等が格納される。メモリ９２は、ＲＯＭやＲＡＭ、フラッシュメモリ等の不揮発メモリなどにより構成される。
【００４９】
また、外部通信インターフェイス９４は、複合装置１に有線または無線等により接続されたホストコンピュータ１１０との間で通信を行う。具体的には、この外部通信インターフェイス９４は、ホストコンピュータ１１０から印刷データやコマンド等の各種データを受信したり、またスキャナ部１０により原稿から読み取られた画像のデータをホストコンピュータ１１０に送信したりする。
【００５０】
また、赤外線通信インターフェイス１１２は、赤外線通信規格（ＩｒＤＡ：Infrared Data Association）に基づき、携帯電話機１１４等との間でデータ通信を行うものである。赤外線通信インターフェイス１１２は、複合装置１の前面部に設けられた赤外線受光部３２（図１〜図３参照）を通じて携帯電話機１１４等から出力された赤外線を受光する。これによって、赤外線通信インターフェイス１１２は、携帯電話機１１４からこれに格納されたデータを受信したり、また、携帯電話機１１４に対してデータを送信したりする。
【００５１】
また、操作入力インターフェイス９６は、操作パネル２に設けられた各種操作ボタン、即ち、電源ボタン８２、設定ボタン８３、ストップボタン８４、モード選択ボタン８５、カーソル操作ボタン群８６、スタートボタン８７（８７Ｂ、８７Ｃ）に接続されて、ユーザから操作入力を受け付ける。なお、操作入力インターフェイス９６は、操作パネル２の各種操作ボタンを除く、他の操作ボタンを通じてユーザから操作入力を受け付けても良い。操作入力インターフェイス９６は、各種操作ボタン８２、８３、８４、８５、８６、８７（８７Ｂ、８７Ｃ）を通じて受け付けたユーザからの操作入力をＣＰＵ９０に伝達する。
【００５２】
また、表示制御部９８は、操作パネル２に設けられた液晶ディスプレイ８０の表示を制御する。具体的には、表示制御部９８は、ＣＰＵ９０の命令によって液晶ディスプレイ８０に表示される画像を制御したり、また、液晶ディスプレイ８０の明るさやコントラスト等の画質調整等を行う。
【００５３】
また、スキャナ制御部１００は、スキャナ部１０を制御する。具体的には、このスキャナ制御部１００は、スキャナ部１０のスキャナヘッド６０を移動させる駆動機構６２の駆動モータ７７を制御したり、また、スキャナヘッド６０に設けられた露光ランプ６６やイメージセンサ７２等を制御する。これによって、スキャナ制御部１００は、駆動機構６２の駆動モータ７７を駆動して、スキャナヘッド６０を原稿５に対して相対的に移動させることで、スキャナヘッド６０のイメージセンサ７２を通じて原稿５から画像を読み取る読み取り動作を実行する。
【００５４】
また、画像処理部１０２は、スキャナ部１０により原稿５から読み取られた画像をプリンタ部３０にて媒体に印刷する際に、スキャナ部１０から出力された画像のデータをプリンタ部３０にて印刷処理を実行するためのデータに変換する役割を果たす。具体的には、この画像処理部１０２は、スキャナ部１０により原稿５から読み取られた画像のデータとしてスキャナ制御部１００から受信したＲＧＢデータをＣＭＹＫデータに変換する。ここで、ＲＧＢデータは、レッド（Ｒ）、グリーン（Ｇ）、ブルー（Ｂ）の３色の色空間により表現された画像のデータである。一方、ＣＭＹＫデータは、シアン（Ｃ）、マゼンダ（Ｍ）、イエロー（Ｙ）、ブラック（Ｋ）の４色の色空間により表現される画像のデータである。画像処理部１０２は、この変換により得られたＣＭＹＫデータに対してハーフトーン処理を施して２値データ（又は２ビットデータ）に変換する。この２値データ（又は２ビットデータ）が、プリンタ部３０にて印刷処理を実行するためのデータとなる。このようにして生成された２値データ（又は２ビットデータ）は、プリンタ制御部１０４へと出力される。
【００５５】
プリンタ制御部１０４は、プリンタ部３０を制御する。具体的には、このプリンタ制御部１０４は、プリンタ部３０のプリンタ用キャリッジ４１を移動させる駆動機構２４のキャリッジモータ４２を制御したり、また、媒体を搬送する搬送機構３６の搬送モータ１５を制御したり、また、プリンタヘッド２１からのインク吐出を制御したりする。これによって、プリンタ制御部１０４は、駆動機構２４のキャリッジモータ４２や搬送機構３６の搬送モータ１５を駆動しながら、プリンタヘッド２１により媒体に向けてインクを吐出して、媒体に印刷を施す印刷動作を実行する。
【００５６】
また、カードインターフェイス１０６は、カードリーダー部２０にセットされた各種メモリカードから、当該メモリカードに格納された画像データを読み込む処理を行う。また、カードインターフェイス１０６は、カードリーダー部２０にセットされた各種メモリカードに対して画像データ等のデータを書き込む処理を行う。
【００５７】
＜制御部の動作＞
（１）スキャナモード
スキャナモードは、例えば、外部通信インターフェイス９４によって受信された、ホストコンピュータ１１０からの画像読み取り命令等によって起動する。このスキャナモードで、ＣＰＵ９０は、外部通信インターフェイス９４を通じて受信された、ホストコンピュータ１１０から送られてきた読み取り解像度や読み取り領域等の読み取り情報に基づき、スキャナ制御部１００を制御して、スキャナ部１０において読み取り動作を実行する。ここで、スキャナ制御部１００は、ＣＰＵ９０からの命令に従って、スキャナ部１０のスキャナヘッド６０を移動させる駆動機構６２の駆動モータ７７を駆動して、スキャナヘッド６０を原稿５に対して相対的に移動させる。これによって、スキャナ制御部１００は、スキャナヘッド６０に設けられたイメージセンサ７２を通じて原稿５から画像を読み取る。スキャナ制御部１００は、ここで読み取られた画像のデータをスキャナ部１０から受信する。そして、スキャナ制御部１００は、スキャナ部１０から取得した画像のデータを外部通信インターフェイス９４を通じてホストコンピュータ１１０に送信する。
【００５８】
（２）印刷モード
印刷モードは、例えば、外部通信インターフェイス９４によって受信された、ホストコンピュータ１１０からの印刷命令等によって起動する。この印刷モードで、ＣＰＵ９０は、外部通信インターフェイス９４を通じて受信された、ホストコンピュータ１１０から送られてきた印刷データに基づき、プリンタ制御部１０４を制御して印刷動作を実行する。ここで、プリンタ制御部１０４は、ＣＰＵ９０からの命令に従って、プリンタ部３０のプリンタ用キャリッジ４１を移動させる駆動機構２４のキャリッジモータ４２を制御したり、また、媒体を搬送する搬送機構３６の搬送モータ１５を制御したり、また、プリンタヘッド２１からのインク吐出を制御したりする。これによって、プリンタ制御部１０４は、プリンタ用キャリッジ４１に設けられたプリンタヘッド２１から媒体に向けてインクを吐出して印刷を施す。
【００５９】
（３）コピーモード
コピーモードは、モード選択ボタン８５が操作されて設定されることで起動する。そして、このコピーモードにおいて、操作パネル２上のスタートボタン８７（８７Ｂ，８７Ｃ）等がユーザにより操作されると、このことが操作入力インターフェイスを通じてＣＰＵ９０に伝達される。ＣＰＵ９０は、スキャナ制御部１００に対してスキャナ部１０にて原稿から画像を読み取る動作を実行すべき命令を発行する。スキャナ制御部１００は、この命令に従って、スキャナ部１０のスキャナヘッド６０を移動させる駆動機構６２の駆動モータ７７を駆動して、スキャナヘッド６０を原稿５に対して相対的に移動させる。これによって、スキャナ制御部１００は、スキャナヘッド６０に設けられたイメージセンサ７２を通じて原稿５から画像を読み取る読み取り動作を実行する。スキャナ制御部１００は、ここで読み取られた画像のデータをスキャナ部１０から受信する。そして、スキャナ制御部１００は、スキャナ部１０から取得した画像のデータを画像処理部１０２へと出力する。
【００６０】
画像処理部１０２は、スキャナ制御部１００から出力された画像のデータをプリンタ部３０にて印刷処理を実行するためのデータに変換する。ここで、画像処理部１０２は、スキャナ制御部１００からＲＧＢデータとして出力された画像のデータをＣＭＹＫデータに変換する。さらに、画像処理部１０２は、ここで、変換により得られたＣＭＹＫデータに対してハーフトーン処理を施して２値データ（又は２ビットデータ）に変換する。この２値データ（又は２ビットデータ）が、プリンタ部３０にて印刷処理を実行するためのデータとなる。画像処理部１０２は、このようにして生成した２値データ（又は２ビットデータ）をプリンタ制御部１０４に出力する。
【００６１】
プリンタ制御部１０４は、ＣＰＵ９０からの命令に従って、画像処理部１０２から出力された２値データ（又は２ビットデータ）に基づき、プリンタヘッド２１からインクを吐出する。このとき、プリンタ制御部１０４は、プリンタ部３０のプリンタ用キャリッジ４１を移動させる駆動機構２４のキャリッジモータ４２を制御するとともに、媒体を搬送する搬送機構３６の搬送モータ１５を制御する。このようにしてプリンタ制御部１０４は、媒体に対して印刷を施す。
【００６２】
（４）メモリカード印刷モード
メモリカード印刷モードは、例えば、操作パネル２上に設けられたモード選択ボタン８５が操作されるなどしてモードが選択されて、スタートボタン８７が操作されて実行される。このメモリカード印刷モードでは、カードリーダー部２０にセットされたメモリカードに格納された画像データについて印刷処理が実行される。ここで、ＣＰＵ９０は、カードインターフェイス１０６を通じてカードリーダー部２０にセットされたメモリカードから画像データを読み込む。ここで読み込んだ画像データとしては、ＪＰＥＧ形式やビットマップ形式等の各種形式により記録された画像データが含まれる。ＣＰＵ９０は、メモリカードから読み出した画像データを画像処理部１０２に送出して、画像処理部１０２にてプリンタ部３０にて印刷処理を実行するためのデータに変換する。
【００６３】
プリンタ制御部１０４は、ＣＰＵ９０からの命令に従って、画像処理部１０２から出力された２値データ（又は２ビットデータ）に基づき、プリンタヘッド２１からインクを吐出する。このとき、プリンタ制御部１０４は、プリンタ部３０のプリンタ用キャリッジ４１を移動させる駆動機構２４のキャリッジモータ４２を制御するとともに、媒体を搬送する搬送機構３６の搬送モータ１５を制御する。このようにしてプリンタ制御部１０４は、媒体に対して印刷を施す。
【００６４】
＝＝＝従来の問題点及び解決方法＝＝＝
＜従来の問題点＞
このような複合装置１にあっては、携帯電話機１１４から赤外線データ通信等を利用して携帯電話機１１４の電話帳データを取得して、その取得した電話帳データに基づき電話帳リストを作成して、その作成した電話帳リストを紙等の媒体に印刷する。この電話帳リストは、携帯電話機１１４に登録された電話帳データを紙等の媒体として物理的に保存することができ、携帯電話機１１４の電話帳のデータをユーザが簡単に閲覧することができる。
【００６５】
しかしながら、このような紙等の媒体に印刷された電話帳リストでは、次のような問題があった。すなわち、自分の携帯電話機１１４等にデータを登録しようとしたときに、紙等の媒体に印刷された電話帳リストを見ながらユーザがいちいち手で入力して登録しなければならず、非常に手間がかかる上、入力作業に大幅な時間を要し、非常に煩雑であるといった問題があった。
【００６６】
＜解決方法＞
そこで、本実施形態の複合装置１にあっては、携帯電話機１１４から赤外線データ通信等を利用して受信した電話帳データに基づき、ＱＲコード等の符号画像を生成して、この生成した符号画像を、電話帳データに基づき作成される電話帳リストに記載し、そのＱＲコード等の符号画像を有する電話帳リストを紙等の媒体に印刷する。これによって、ユーザは、携帯電話機１１４の電話帳に再度データを登録しようとするときに、媒体に印刷された電話帳リストをユーザがいちいち見ながら、手で入力して登録していく必要はなく、電話帳リストに記載されたＱＲコード等の符号画像を携帯電話機１１４のカメラで撮影して、このＱＲコード等の符号画像を通じて簡単に携帯電話機１１４の電話帳にデータを登録することができる。なお、ここでは、符号画像としてＱＲコードを用いた場合を例にして説明する。
【００６７】
＝＝＝電話帳リスト＝＝＝
ここで作成される電話帳リストについて説明する。図７は、ここで作成される電話帳リスト１２０の一例について説明したものである。この電話帳リスト１２０には、同図に示すように、携帯電話機１１４に登録された相手の各件１２２別にそれぞれ相手の情報が記載されている。各件１２２別には、相手の個人情報が記載された個人情報記載欄１２４と、ＱＲコード１２５が記載されるＱＲコード欄１２６と、相手の写真が記載された写真欄１２８とが設けられている。この電話帳リストには、左側から個人情報記載欄１２４、ＱＲコード欄１２６、写真欄１２８の順に並んで配置されている。ＱＲコード欄１２６は、個人情報記載欄１２４と、写真欄１２８との間に設けられている。また、携帯電話機１１４に登録された相手の各件１２２の境界には、それぞれライン１３０が設けられている。
【００６８】
個人情報記載欄１２４には、相手の名称（氏名等）や自宅の電話番号、携帯電話機の電話番号、勤務先電話番号、住所、Ｅメールアドレスなどが文字で記載されている。また、ＱＲコード欄１２６には、個人情報記載欄１２４に記載された相手の氏名や自宅の電話番号、携帯電話機の電話番号、勤務先電話番号、住所、Ｅメールアドレスなどといった個人情報を各件１２２別にそれぞれ２次元コード化して生成されたＱＲコード１２５が記載される。また、写真欄１２８には、各件１２２別にそれぞれ登録された写真データに基づき写真１２９が記載される。
【００６９】
このような電話帳リスト１２０は、携帯電話機１１４から受信した電話帳データの登録件数に応じて、複数枚にわたって印刷されても良い。また、このような電話帳リスト１２０は、モノクロにて印刷される他、カラーにて印刷されても良い。また、このような電話帳リスト１２０は、用紙等の媒体のサイズ等に応じて、電話帳リスト１２０に記載される電話帳データの記載件数がそれぞれ異なっていても良い。
【００７０】
＝＝＝電話帳リスト印刷までの手順＝＝＝
図８は、電話帳リストの印刷手順について説明したものである。この電話帳リストを複合装置１にて作成する場合には、まず、ユーザにより操作パネル２上の各種ボタン８２、８３、８４、８５、８６、８７、８７Ｂ、８７Ｃが操作されて、電話帳リストを作成するモードが設定される。ＣＰＵ９０は、ここでは、赤外線通信インターフェイス１１２を通じて、携帯電話機１１４から電話帳データが赤外線データ通信により送信されてくるのを待機する。ユーザは、携帯電話機１１４の赤外線発光部を複合装置１の赤外線受光部３２に向ける。そして、ユーザは、携帯電話機１１４を操作して、携帯電話機１１４内部の電話帳データの送信開始を指示する。これにより、複合装置１は、携帯電話機１１４からの電話帳データの受信を開始する（Ｓ１０２）。
【００７１】
ＣＰＵ９０は、赤外線通信インターフェイス１１２を通じて携帯電話機１１４から受信した電話帳データに基づき、符号画像として、ここではＱＲコードを生成する（Ｓ１０４）。ここで、ＣＰＵ９０は、携帯電話機１１４から受信した電話帳データに登録されたデータの各件別にＱＲコードを生成する。すなわち、ここで生成される１つのＱＲコードには、携帯電話機１１４から受信した電話帳データの中の１件分のデータ（情報）が含まれる。そして、ＣＰＵ９０は、赤外線通信インターフェイス１１２を通じて携帯電話機１１４から受信した電話帳データに基づき、１件ごとにＱＲコードを生成する。すなわち、ＱＲコードは、携帯電話機１１４から受信した電話帳データに登録されたデータの件数分だけ生成される。
【００７２】
次に、ＣＰＵ９０は、このようにして生成したＱＲコードを用いて、電話帳リストを作成する（Ｓ１０４）。ここでＣＰＵ９０が作成する電話帳リストは、図７にて説明したように、ＱＲコード１２５を有する電話帳リスト１２０である。ＣＰＵ９０は、携帯電話機１１４から受信した電話帳データに登録された個人情報に基づき、当該個人情報が１件ずつ個別に並べて配置して個人情報記載欄１２４を電話帳リストに作成する。この際に、ＣＰＵ９０は、個人情報が１件ずつ個別に並べられて配置された電話帳リスト１２０に、生成したＱＲコードを設ける。ここでは、ＣＰＵ９０は、図７にて説明したように、個人情報記載欄１２４の右隣りに、ＱＲコード１２５を添付して、ＱＲコード欄１２６を設ける。さらに、このＱＲコード欄１２６の右隣りには、電話帳データに登録された写真１２９を添付して、写真欄１２８を形成する。このようにしてＣＰＵ９０は、携帯電話機１１４から受信した電話帳データに基づき、ＱＲコード１２５を有する電話帳リスト１２０を作成する。なお、ここで、ＣＰＵ９０は、１件分のデータが複数の媒体に跨らないように電話帳リストを作成する。
【００７３】
次に、ＣＰＵ９０は、このようにして作成した電話帳リスト１２０を印刷する（Ｓ１０８）。ここで、ＣＰＵ９０は、作成した電話帳リストに基づき、プリンタ部３０にて印刷処理を実行するための印刷データを生成する。そして、ＣＰＵ９０は、生成した印刷データに基づき、プリンタ制御部１０４を制御して印刷動作を実行する。このとき、プリンタ制御部１０４は、ＣＰＵ９０からの命令に従って、プリンタ部３０のプリンタ用キャリッジ４１を移動させる駆動機構２４のキャリッジモータ４２を制御したり、また、媒体を搬送する搬送機構３６の搬送モータ１５を制御したり、また、プリンタヘッド２１からのインク吐出を制御したりする。これによって、プリンタ制御部１０４は、プリンタ用キャリッジ４１に設けられたプリンタヘッド２１から媒体に向けてインクを吐出する。これにより、媒体に印刷を施して電話帳リスト１２０を印刷する。
【００７４】
なお、電話帳リスト１２０を印刷する際に、媒体上に印刷されるＱＲコードの色は、ブラックにより印刷されると良い。この場合、好ましくは、ＱＲコードは、イエロ（Ｙ）、マゼンダ（Ｍ）およびシアン（Ｃ）の３色のインクにより形成されるコンポジットブラックによって印刷されるのではなく、これらイエロ（Ｙ）、マゼンダ（Ｍ）およびシアン（Ｃ）の３色のインクとは別のブラック（Ｋ）のインクによって印刷されるのが良い。このようにＱＲコードがブラック（Ｋ）のインクにより印刷されれば、ユーザ等が媒体に印刷されたＱＲコードを携帯電話機のカメラ等により読み込んでデータとして取り込む場合に、データの取込みエラー等を防止することができる。
【００７５】
＝＝＝携帯電話機から受信するデータの形式＝＝＝
複合装置１が携帯電話機１１４から受信するデータの形式としては、例えば、次のようなものがある。図９は、複合装置１が携帯電話機１１４から受信するデータの形式の一例について説明したものである。ここでは、「ｖＣａｒｄ」形式について説明する。ここで「ｖＣａｒｄ」形式とは、電子名刺のことで、電話帳などのデータをアプリケーション間でやり取りをするための共通のデータフォーマットの中の１つである。「ｖＣａｒｄ」で規定されているのは、名称、電話番号などの個人情報であり、「ｖＣａｒｄ」のフォーマットはテキスト形式となっている。
【００７６】
「ｖＣａｒｄ」の記述は、同図に示すように、「ＢＥＧＩＮ：〜」で始まり、「ＥＮＤ：〜」で終わる行ベースのフォーマットが使われている。行の長さおよび長い行の処理は通常の電子メールの処理と同じで、文字コードや国の表記には、インターネットで利用されているものを使う。 
複合装置１は、このような形式のデータを携帯電話機１１４から電話帳データとして受信する。そして、複合装置１は、受信した電話帳データに基づき、電話帳リスト１２０を作成して、これを媒体等に印刷をする。
【００７７】
なお、複合装置１が携帯電話機１１４から受信するデータの形式としては、前述した「ｖＣａｒｄ」形式以外の他の形式であっても構わない。すなわち、複合装置１が携帯電話機１１４から電話帳データを受信するのであれば、その受信するデータの形式はどのような形式であっても構わない。
【００７８】
＝＝＝ＱＲコードにデータが収まらない場合＝＝＝
携帯電話機１１４から送られてきた電話帳データに、１件分のデータとして、非常にサイズの大きいデータが含まれていた場合に、１つのＱＲコードに全てのデータを含めることはできない。そこで、このような場合、ＣＰＵ９０は、携帯電話機１１４から送られてきたデータの中から、重要と思われるデータをピックアップして、それ以外のデータを削減して、ＱＲコードに含めるデータを限定する。
【００７９】
図１０は、携帯電話機１１４から送られてきた電話帳データに、１件分の登録データとして、非常にサイズの大きいデータが含まれていた場合に、ＱＲコードに含めるデータのサイズを切り詰める手順の一例を説明したものである。このようなＱＲコードに含めるデータの切り詰めは、ＣＰＵ９０により行う。
【００８０】
ＣＰＵ９０は、まず、携帯電話機１１４から送られてきた電話帳データから１件分の登録データを取得する（Ｓ２０２）。そして、次に、ＣＰＵ９０は、その１件分の登録データが、１つのＱＲコードに全て含めることができるか否かをチェックする。１つのＱＲコードが、例えば、２００バイト（Byte）のデータまで含めることができるとした場合に、１件分の登録データが２００バイト（Byte）以下か否かをチェックする（Ｓ２０４）。ここで、１件分の登録データが２００バイト（Byte）以下である場合には、ＣＰＵ９０は、直ち処理を終了する（「Ｅｎｄ」へ）。一方、１件分の登録データが所定のサイズ以下、２００バイト（Byte）以下ではない場合、即ち１件分のデータが２００バイト（Byte）を超えていた場合には、ＣＰＵ９０は、次にステップＳ２０６へと進む。
【００８１】
ＣＰＵ９０は、ステップＳ２０６にて、その１件分の登録データのうちの住所データについてデータの切り詰めを行う。ここでは、ＣＰＵ９０は、住所データが所定のサイズよりも長い場合、即ちここでは３２バイトよりも長い場合に、その住所データに対してデータの切り詰めを行う。そして、ＣＰＵ９０は、このようにして住所データに対してデータの切り詰めを行った後、次にステップＳ２０８へと進む。なお、その住所データが所定のサイズ、即ちここでは３２バイト以下であった場合には、ＣＰＵ９０は、その住所データに対してデータの切り詰めは行わなずに次のステップＳ２０８に進む。
【００８２】
ステップＳ２０８においては、ＣＰＵ９０は、住所データに対してデータの切り詰めを行った後の登録データが２００バイト（Byte）以下か否かをチェックする（Ｓ２０８）。ここで、１件分の登録データが２００バイト（Byte）以下である場合には、ＣＰＵ９０は、直ち処理を終了する（「Ｅｎｄ」へ）。一方、１件分の登録データが２００バイト（Byte）以下ではない場合には、ＣＰＵ９０は、さらにデータの切り詰めを行うべく、ステップＳ２１０へと進む。
【００８３】
ここでは、ＣＰＵ９０は、１件分の登録データのうちの名称データについてデータの切り詰めを行う。ここでは、ＣＰＵ９０は、名称データが所定のサイズよりも長い場合、即ちここでは３２バイトよりも長い場合に、その名称データに対してデータの切り詰めを行う。そして、ＣＰＵ９０は、名称データに対してデータの切り詰めを行った後、次にステップＳ２１２へと進む。なお、その名称データが所定のサイズ、即ちここでは３２バイト以下であった場合には、ＣＰＵ９０は、その名称データに対してデータの切り詰めは行わなずに次のステップＳ２１２に進む。
【００８４】
ステップＳ２１２においては、ＣＰＵ９０は、名称データに対してデータの切り詰めを行った後の登録データが２００バイト（Byte）以下か否かをチェックする（Ｓ２１２）。ここで、１件分の登録データが２００バイト（Byte）以下である場合には、ＣＰＵ９０は、直ち処理を終了する（「Ｅｎｄ」へ）。一方、１件分の登録データが２００バイト（Byte）以下ではない場合には、ＣＰＵ９０は、さらにデータの切り詰めを行うべく、次のステップＳ２１４へと進む。
【００８５】
ここでは、ＣＰＵ９０は、１件分の登録データのうちのメールアドレスのデータについてデータの切り詰めを行う（Ｓ２１４）。ここでは、ＣＰＵ９０は、１件分の登録データに含まれる複数のメールアドレスのうちの一部を削除する。ここでＣＰＵ９０が削除するメールアドレスの件数は、１件でも良く、また２件以上であっても良く、さらには全てのメールアドレスが削除されても良い。ＣＰＵ９０は、このようにしてメールアドレスの削除を行った後、次にステップＳ２１６へと進む。
【００８６】
ステップＳ２１６においては、ＣＰＵ９０は、メールアドレスを削除した後の登録データが２００バイト（Byte）以下か否かをチェックする（Ｓ２１６）。ここで、１件分の登録データが２００バイト（Byte）以下である場合には、ＣＰＵ９０は、直ち処理を終了する（「Ｅｎｄ」へ）。一方、１件分の登録データが２００バイト（Byte）以下ではない場合には、ＣＰＵ９０は、さらにデータの切り詰めを行うべく、次のステップＳ２１８へと進む。
【００８７】
ステップＳ２１８では、ＣＰＵ９０は、１件分の登録データの中に複数件登録された電話番号の一部を削除する（Ｓ２１８）。ここでＣＰＵ９０が削除する電話番号の件数は、１件でも良く、また２件以上であっても良い。ＣＰＵ９０は、このようにして電話番号の削除を行った後、処理を終了する（「Ｅｎｄ」へ）。
【００８８】
＜電話帳リストへの対応＞
このようにして携帯電話機１１４から送られてきた電話帳データに、１件分のデータとして、非常にサイズの大きいデータが含まれていた場合に、１つのＱＲコードに全てのデータを含めることができず、データを切り詰めた場合には、電話帳リストを作成する際に、ＣＰＵ９０により選出されたデータ、即ちＱＲコードに含むことができたデータと、ＣＰＵ９０により選出されなかったデータ、即ちＱＲコードに含むことができなかったデータとを異なる色にて表記すると好ましい。つまり、例えば、ＣＰＵ９０により選出されたデータ、即ちＱＲコードに含むことができたデータは、ブラック（Ｋ）にて表記されるのに対して、ＣＰＵ９０により選出されなかったデータ、即ちＱＲコードに含むことができなかったデータは、イエロ（Ｙ）等のブラック（Ｋ）を除く他の色にて表記されると良い。このようにＣＰＵ９０により選出されたデータと、ＣＰＵ９０により選出されなかったデータとが異なる色にて表記されることで、ＱＲコードに含むことができなかったデータをユーザ等に知らせることができる。
【００８９】
＝＝＝電話帳リストの他の形態＝＝＝
図１１は、電話帳リスト１３２の他の形態の説明したものである。この電話帳リスト１３２は、図７にて説明した電話帳リスト１２０と同様に、携帯電話機１１４に登録された相手の各件１２２別にそれぞれ相手の情報が記載されている。各件１２２には、それぞれ相手の個人情報が記載された個人情報記載欄１２４と、ＱＲコード１２５Ａ、１２５Ｂ、１２５Ｃが記載されるＱＲコード欄１２６と、相手の写真が記載された写真欄１２８とが設けられている。
【００９０】
個人情報記載欄１２４には、相手の氏名や自宅の電話番号、携帯電話機の電話番号、勤務先電話番号、住所、Ｅメールアドレスなどが文字で記載されている。また、ＱＲコード欄１２６には、個人情報記載欄１２４に記載された相手の氏名や自宅の電話番号、携帯電話機の電話番号、勤務先電話番号、住所、Ｅメールアドレスなどといった個人情報を各件１２２別にそれぞれ２次元コード化して生成されたＱＲコード１２５Ａ、１２５Ｂ、１２５Ｃが記載される。また、写真欄１２８には、各件１２２別にそれぞれ登録された写真データに基づき写真１２９が記載される。
【００９１】
ただし、この電話帳リスト１３２にあっては、ＱＲコード欄１２６には、３つのＱＲコード１２５Ａ、１２５Ｂ、１２５Ｃが設けられている。ここで設けられる３種類のＱＲコード１２５Ａ、１２５Ｂ、１２５Ｃは、それぞれ異なる携帯電話サービスの提供事業者に対応するＱＲコードとなっている。すなわち、例えば、左側に位置するＱＲコード１２５Ａは、携帯電話サービスの提供事業者「Ａ社」に対応している。また、中央に位置するＱＲコード１２５Ｂは、携帯電話サービスの提供事業者「Ｂ社」に対応している。また、右側に位置するＱＲコード１２５Ｃは、携帯電話サービスの提供事業者「Ｃ社」に対応している。
【００９２】
このように携帯電話サービスの提供事業者別にそれぞれ異なるＱＲコード１２５Ａ、１２５Ｂ、１２５Ｃが設けられているのは、次の理由からである。すなわち、同じＱＲコードであっても、ある携帯電話サービスの提供事業者の携帯電話機では解読することができるＱＲコードが、他の携帯電話サービスの提供事業者の携帯電話機では解読することができない場合があるからである。このようなことから、ＣＰＵ９０は、携帯電話サービスの提供事業者別にそれぞれ異なるＱＲコード１２５Ａ、１２５Ｂ、１２５Ｃを生成して、これら生成したＱＲコード１２５Ａ、１２５Ｂ、１２５Ｃを電話帳リスト１３２に記載するのである。このように電話帳リスト１３２に、携帯電話サービスの提供事業者別にそれぞれ対応するＱＲコード１２５Ａ、１２５Ｂ、１２５Ｃが設けられることで、ユーザは、利用する携帯電話サービスの提供事業者を変更した場合であっても、それに対応するＱＲコード１２５Ａ、１２５Ｂ、１２５Ｃを利用することができる。
【００９３】
なお、ここでは、携帯電話サービスの提供事業者別にそれぞれ異なるＱＲコードとして、３種類のＱＲコード１２５Ａ、１２５Ｂ、１２５Ｃが電話帳リスト１３２に設けられていたが、電話帳リスト１３２に設けられるＱＲコードは、このように３種類である必要はなく、２種類であっても良く、また４種類以上であっても良い。
【００９４】
また、この電話帳リスト１３２には、携帯電話サービスの提供事業者別に３種類のＱＲコード１２５Ａ、１２５Ｂ、１２５Ｃが設けられていたが、予めユーザ等により設定された携帯電話サービスの提供事業者に対応するＱＲコードのみを設けるようにしても構わない。つまり、予めユーザ等によって、例えば、携帯電話サービスの提供事業者「Ａ社」についてのみ、ＱＲコード１２５Ａを記載すべく設定がなされていた場合には、携帯電話サービスの提供事業者「Ａ社」に対応するＱＲコード１２５Ａのみを電話帳リスト１３２に記載するようにしても良い。
【００９５】
＝＝＝媒体の種類に応じた印刷＝＝＝
電話帳リスト１２０、１３２に記載されるＱＲコード１２５、１２５Ａ、１２５Ｂ、１２５Ｃのサイズについては、電話帳リスト１２０、１３２が印刷される媒体の種類に応じて適宜変更すると良い。これは、印刷される媒体の種類に応じて、ＱＲコード１２５、１２５Ａ、１２５Ｂ、１２５Ｃの適切なサイズがそれぞれ異なるからである。つまり、ＱＲコード１２５、１２５Ａ、１２５Ｂ、１２５Ｃをきめ細かく印刷することができる媒体については、ＱＲコード１２５、１２５Ａ、１２５Ｂ、１２５Ｃのサイズを小さくしても携帯電話機等にて十分に読み取ることができる。一方、ＱＲコード１２５、１２５Ａ、１２５Ｂ、１２５Ｃをきめ細かく印刷することができない媒体については、ＱＲコード１２５、１２５Ａ、１２５Ｂ、１２５Ｃのサイズが小さい場合には携帯電話機等にて十分に読み取ることができない場合が生じる。このため、媒体に印刷されるＱＲコード１２５、１２５Ａ、１２５Ｂ、１２５Ｃのサイズを大きくして、携帯電話機等でも十分に読み取ることができるようにする必要がある。
【００９６】
このようなことから、印刷される媒体の種類に応じて、ＱＲコード１２５、１２５Ａ、１２５Ｂ、１２５Ｃのサイズを適宜変更する必要がある。このように印刷される媒体の種類に応じて、ＱＲコード１２５、１２５Ａ、１２５Ｂ、１２５Ｃのサイズを適宜変更することで、ＱＲコード１２５、１２５Ａ、１２５Ｂ、１２５Ｃのサイズを小さくすることができれば、１枚の媒体に印刷される電話帳リストの件数を増やすことができるとともに、インクの消費量も抑制することができる。
【００９７】
図１２は、印刷される媒体の種類に応じて、媒体に印刷されるＱＲコード１２５、１２５Ａ、１２５Ｂ、１２５Ｃのサイズの設定例について説明したものである。ここでは、媒体の種類として、「普通紙」、「マット紙」、「光沢紙」、「フィルム」、「写真用紙」についてそれぞれ個別にＱＲコード１２５、１２５Ａ、１２５Ｂ、１２５Ｃのサイズを設定した場合について説明している。これら「普通紙」、「マット紙」、「光沢紙」、「フィルム」および「写真用紙」は、それぞれ「α1(縦)×β1(横)」、「α2×β2」、「α3×β3」、「α4×β4」、「α5×β5」に設定されている。
【００９８】
なお、ここでは、媒体の種類として、「普通紙」、「マット紙」、「光沢紙」、「フィルム」および「写真用紙」についてそれぞれ個別にＱＲコード１２５、１２５Ａ、１２５Ｂ、１２５Ｃのサイズが設定された場合について説明したが、その他の種類の媒体についてもＱＲコード１２５、１２５Ａ、１２５Ｂ、１２５Ｃのサイズの設定をしても良い。また、ここでは、ＱＲコード１２５、１２５Ａ、１２５Ｂ、１２５Ｃのサイズとして、縦×横として設定されていたが、ＱＲコード１２５、１２５Ａ、１２５Ｂ、１２５Ｃが正方形状の場合には、１辺のサイズのみが設定されていても良い。
【００９９】
＜媒体の種類の情報の取得方法＞
電話帳リストが印刷される媒体の種類に関する情報を取得する方法としては、次の（Ａ）および（Ｂ）のような方法がある。
【０１００】
（Ａ）光学センサによる媒体の種類の判別
例えば、プリンタ用キャリッジ４１等に設けられた光学センサによって、プリンタ部３０にて印刷される媒体の種類に関する情報を取得することができる。ここで、光学センサは、発光部と受光部とを有し、発光部から媒体に向けて光が発光され、媒体にて反射された光が受光部にて受光される。受光部は、受光した光の大きさに応じたレベルの信号を出力する。そして、この信号が光学センサから出力信号としてＣＰＵ９０に向けて出力される。ＣＰＵ９０は、光学センサからの出力信号の信号レベルに基づき、プリンタ部３０にて印刷される媒体の種類を判別する。そして、ＣＰＵ９０は、判別された媒体の種類に基づき、媒体に印刷されるＱＲコード１２５、１２５Ａ、１２５Ｂ、１２５Ｃのサイズを設定する。
【０１０１】
（Ｂ）ユーザ等からの情報による媒体の種類の判別
例えば、複合装置１の操作パネル２を通じてユーザ等により入力された情報、または複合装置１に接続されたホストコンピュータ１１０にインストールされたドライバプログラムにおいてユーザ等により設定された情報に基づき、プリンタ部３０にて印刷される媒体の種類に関する情報を取得することができる。ＣＰＵ９０は、複合装置１の操作パネル２またはホストコンピュータ１１０のドライバプログラムを通じてユーザ等により設定された印刷する媒体の種類に関する情報を取得する。そして、ＣＰＵ９０は、取得した媒体の種類に関する情報に基づき、媒体に印刷されるＱＲコード１２５、１２５Ａ、１２５Ｂ、１２５Ｃのサイズを設定する。
【０１０２】
なお、ここでは、これら（Ａ）および（Ｂ）の方法にて媒体の種類に関する情報を取得する方法について説明して説明したが、もちろん、これら（Ａ）および（Ｂ）以外の他の方法によって媒体の種類に関する情報を取得しても良い。
【０１０３】
＝＝＝ＱＲコードの解読＝＝＝
複合装置１は、ＱＲコードを解読する機能を備えていても良い。この場合、ＱＲコードは、複合装置１のスキャナ部１０により画像として読み取って、その読み取った画像に含まれるＱＲコードをＣＰＵ９０が解読すると好ましい。この際に、ＣＰＵ９０は、メモリ９２等に格納されたＱＲコードの解読プログラムを実行する。
【０１０４】
このように複合装置１がＱＲコードを解読する機能を備えていれば、複合装置において次の（１）や（２）のことが実現可能となる。
【０１０５】
（１）電話帳リストの解読
プリンタ部３０により媒体に印刷された電話帳リスト１２０、１３２をスキャナ部１０により画像として読み込むことで、媒体に印刷された電話帳リスト１２０、１３２に記載されたＱＲコード１２５、１２５Ａ、１２５Ｂ、１２５から情報を複合装置１が簡単に取得することができる。これによって、スキャナ部１０を通じて電話帳リスト１２０、１３２から取得した情報を携帯電話機１１４等に赤外線通信インターフェイス１１２（赤外線受光部３２）を通じて送信することが可能となる。
【０１０６】
（２）電話帳リストのコピー
複合装置１によるＱＲコードの解読機能は、プリンタ部３０により媒体に印刷された電話帳リスト１２０、１３２をスキャナ部１０により画像として読み取って、その読み込んだ画像をプリンタ部３０にて再び媒体に印刷する場合にも適用することができる。すなわち、媒体に印刷された電話帳リスト１２０、１３２をスキャナ部１０により画像として読み取ってそのままプリンタ部３０にて印刷するのではなく、スキャナ部１０により画像として読み取った電話帳リスト１２０、１３２に含まれるＱＲコード１２５、１２５Ａ、１２５Ｂ、１２５からＣＰＵ９０が情報を取得する。そして、ＣＰＵ９０が取得した情報に基づき、ＣＰＵ９０が再び電話帳リスト１２０、１３２を作成して、プリンタ部３０にて媒体に印刷するのである。これによって、画質の大幅な低下を招くことなく、電話帳リスト１２０、１３２のコピー（複写）を実行することができる。
【０１０７】
なお、複合装置１がＱＲコードを解読する機能を備えた場合に実現可能なことは、これら（１）および（２）のことに限られない。すなわち、複合装置１がＱＲコードを解読する機能を様々な利用方法に活用しても良い。
【０１０８】
＝＝＝まとめ＝＝＝
以上本実施形態では、複合装置１によって、携帯電話機１１４から電話帳データを受信し、この受信した電話帳データに基づきＱＲコードを生成して、このように生成したＱＲコードを有する電話帳リストを電話帳データに基づき作成し、そのＱＲコード１２５、１２５Ａ、１２５Ｂ、１２５Ｃを有する電話帳リストを紙等の媒体に印刷する。これによって、ユーザは、携帯電話機１１４の電話帳に再度データを登録しようとするときに、媒体に印刷された電話帳リストをユーザがいちいち見ながら、手で入力して登録していく必要はなく、電話帳リストに記載されたＱＲコードを携帯電話機１１４のカメラで撮影して、このＱＲコード１２５、１２５Ａ、１２５Ｂ、１２５Ｃを通じて簡単に携帯電話機１１４の電話帳にデータを登録することができる。
【０１０９】
また、複合装置１によって印刷される電話帳リストには、ＱＲコード１２５、１２５Ａ、１２５Ｂ、１２５Ｃの他に、個人情報記載欄１２４が設けられ、この個人情報記載欄１２４に、相手の名称（氏名等）や自宅の電話番号、携帯電話機の電話番号、勤務先電話番号、住所、Ｅメールアドレスなどが文字で記載されることで、ユーザ等は携帯電話機１１４に登録された電話帳データを簡単に確認することができる。さらに、電話帳リストに写真欄１２８が設けられ、この写真欄１２８に写真１２９が記載されることで、相手が誰だか簡単に確認することができる。
【０１１０】
さらに、複合装置１によって印刷される電話帳リストに、ＱＲコードとして、携帯電話サービスの提供事業者別にそれぞれ異なるＱＲコード１２５Ａ、１２５Ｂ、１２５Ｃが設けられることで、携帯電話サービスの各提供事業者にそれぞれ対応することができる。また、これらＱＲコード１２５Ａ、１２５Ｂ、１２５Ｃに対応してそれぞれ携帯電話サービスの提供事業者の名称が表記されることによって、どのＱＲコード１２５Ａ、１２５Ｂ、１２５Ｃがどの携帯電話サービスの提供事業者に対応するのか簡単に確認することができる。
【０１１１】
またさらに、電話帳リスト１２０、１３２が印刷される媒体の種類に応じて、印刷されるＱＲコード１２５、１２５Ａ、１２５Ｂ、１２５Ｃのサイズが異なれば、媒体の種類に応じて携帯電話機等でも十分に読み取ることができるような適切なサイズをＱＲコード１２５、１２５Ａ、１２５Ｂ、１２５Ｃに設定することができる。これによって、１枚の媒体に印刷される電話帳リストの件数を増やすことができるとともに、インクの消費量も抑制することができる。
【０１１２】
またさらに、媒体に印刷された電話帳リスト１２０、１３２をスキャナ部１０により画像として読み込んで、読み込んだ電話帳リスト１２０、１３２からＱＲコード１２５、１２５Ａ、１２５Ｂ、１２５Ｃを解読すれば、ＱＲコード１２５、１２５Ａ、１２５Ｂ、１２５Ｃのデータを簡単に取り込むことができる。
【０１１３】
＝＝＝その他の実施の形態＝＝＝
以上、一実施形態に基づき、印刷装置について説明したが、上記の実施の形態は、本発明の理解を容易にするためのものであり、本発明を限定して解釈するためのものではない。本発明は、その趣旨を逸脱することなく、変更または改良され得るとともに、本発明には、その等価物が含まれることは言うまでもない。特に、以下に述べる実施形態であっても、本発明に含まれるものである。
【０１１４】
＜携帯電話機について＞
前述した実施の形態では、「携帯電話機」として、印刷装置（複合装置１）に対して赤外線通信により電話帳データを送信する携帯電話機を例にして説明したが、ここでいう「携帯電話機」にあっては、必ずしもこのように印刷装置（複合装置１）に対して赤外線通信により電話帳データを送信する携帯電話機には限らない。すなわち、印刷装置（複合装置１）に対して有線または無線により電話帳データを送信する携帯電話機であれば、どのようなタイプの携帯電話機であっても構わない。すなわち、印刷装置（複合装置１）とケーブル等を介して接続される「携帯電話機」であっても構わない。
【０１１５】
＜外部通信インターフェイスについて＞
前述した実施の形態では、「外部通信インターフェイス」として、赤外線通信インターフェイス１１２（赤外線受光部３２を含む）を例にして説明したが、ここでいう「外部通信インターフェイス」にあっては、必ずしもこのように携帯電話機と赤外線通信によりデータを受信するものには限られない。つまり、携帯電話機１１４から有線または無線により電話帳データを受信するのであれば、どのようなタイプの「外部通信インターフェイス」であっても良く、例えば、本実施形態では、ホストコンピュータと接続される外部通信インターフェイス９４が、ここでいう「外部通信インターフェイス」、即ち携帯電話機１１４から有線または無線により電話帳データを受信する外部通信インターフェイスとして機能しても良い。
【０１１６】
＜電話帳データについて＞
前述した実施の形態では、「電話帳データ」として、相手の名称（氏名等）や自宅の電話番号、携帯電話機の電話番号、勤務先電話番号、住所、Ｅメールアドレス、写真などを有するデータが携帯電話機から送られてきたが、ここでいう「電話帳データ」にあっては、必ずしもこのような「電話帳データ」には限らない。すなわち、これらの情報以外の情報が電話帳データに含まれていても良く、またこれらの情報が「電話帳データ」に含まれている必要もない。
【０１１７】
＜符号画像について＞
前述した実施の形態では、「符号画像」として、ＱＲコードを用いた場合を例にして説明したが、ここでいう「符号画像」にあっては、このようなＱＲコードには限らない。すなわち、例えば、ＪＡＮコードなど、ＱＲコード以外の他のタイプの符号画像が用いられていても構わない。
【０１１８】
＜符号画像生成部について＞
前述した実施の形態では、「符号画像生成部」として、ＣＰＵ９０が携帯電話機から受信した電話帳データに基づき、符号画像（ＱＲコード）を生成していたが、ここでいう「符号画像生成部」にあっては、必ずしもこのようにＣＰＵ９０により構成される必要はなく、専用の回路等の他の構成部によって構成されても良い。
【０１１９】
＜電話帳リストについて＞
前述した実施の形態では、「電話帳リスト」として、図７または図１１に示すような電話帳リストが例示されていたが、ここでいう「電話帳リスト」にあっては、必ずしもこのよなタイプの電話帳リストには限られない。
【０１２０】
＜電話帳リスト作成部について＞
前述した実施の形態では、「電話帳リスト作成部」として、ＣＰＵ９０が携帯電話機から受信した電話帳データに基づき、符号画像（ＱＲコード）を有する電話帳リストを作成していたが、ここでいう「符号画像生成部」にあっては、必ずしもこのようにＣＰＵ９０により構成される必要はなく、専用の回路等の他の構成部によって構成されても良い。
【０１２１】
＜印刷部について＞
前述した実施の形態では、「印刷部」として、媒体に向けてインクを吐出して印刷を行う印刷部（プリンタ部３０）を例にして説明したが、ここでいう「印刷部」にあっては、必ずしもこのようにインクを吐出して印刷を行う印刷部（プリンタ部３０）に限られることはなく、媒体に対して印刷を行う印刷部であれば、どのようなタイプの印刷部であっても構わない。例えば、レーザービーム方式や熱転写方式等の各種方式により媒体に印刷を行う印刷部であっても構わない。
【０１２２】
＜媒体について＞
媒体については、前述した用紙として、普通紙やマット紙、カット紙、光沢紙、ロール紙、用紙、写真用紙、ロールタイプ写真用紙等をはじめ、これらの他に、ＯＨＰフィルムや光沢フィルム等のフィルム材や布材、金属板材などであっても構わない。すなわち、印刷対象となり得るものであれば、どのようなタイプの媒体であっても構わない。
【０１２３】
＜印刷装置について＞
前述した実施の形態では、「印刷装置」として、原稿から画像を読み取って画像データを生成する画像読み取り部（スキャナ部）と、媒体に対して印刷を施す印刷部（プリンタ部）とを備えた「複合装置」の場合を例にして説明したが、ここでいう「印刷装置」にあっては、必ずしもこのように画像読み取り部（スキャナ部）を備えている必要はない。すなわち、ここでいう「印刷装置」としては、媒体に対して印刷を施す機能を少なくとも備えていれば良い。
【図面の簡単な説明】
【０１２４】
【図１】複合装置の一例を説明する斜視図。
【図２】複合装置のスキャナ部のカバーを開いたときの斜視図。
【図３】複合装置の印刷部を示す斜視図。
【図４】複合装置のスキャナ部及びプリンタ部の構成を説明する説明図。
【図５】複合装置の操作パネルを説明する説明図。
【図６】複合装置の制御部のシステム構成の一例の説明図。
【図７】作成される電話帳リストの一例の説明図。
【図８】電話帳リストの印刷手順の一例の説明図。
【図９】携帯電話機から受信するデータの形成の一例の説明図。
【図１０】重要なデータの選出方法の一例を説明するフローチャート。
【図１１】作成される電話帳リストの他の形態の説明図。
【図１２】媒体の種類に応じたＱＲコードのサイズの設定例の説明図。
【符号の説明】
【０１２５】
１  複合装置、２  操作パネル、５  原稿、６  上部、９  下部、１０  スキャナ部、
１１  原稿台、１２  原稿台カバー、１４  プラテン、１５  搬送モータ、
１７Ａ  搬送ローラ、２０  カードリーダー部、２１  プリンタヘッド、
２２  背部給紙口、２３  前部給紙口、２４  駆動機構、２５  排紙トレイ、
２６  インクカートリッジ、２７  インクカートリッジカバー、２８  固定用レバー、
２９Ａ  レバー本体、２９Ｂ  凹部、３０  プリンタ部、３２  赤外線受光部、
３４  ヒンジ部、３６  搬送機構、４１  キャリッジ、４２  キャリッジモータ、
４４  プーリ、４５  タイミングベルト、４６  ガイドレール、５０  制御部、
５１  リニア式エンコーダ符号板、５２  検出部、５３  紙検知センサ、
５６  ロータリ式エンコーダ、６０  スキャナヘッド、６０Ａ  後端部、
６２  駆動機構、６４  ガイド、６６  露光ランプ、７０  レンズ、
７２  イメージセンサ、７４  タイミングベルト、７５  プーリ、７６  プーリ、
７７  駆動モータ、８０  液晶ディスプレイ、８２  電源ボタン、８３  設定ボタン、
８４  ストップボタン、８５  モード選択ボタン、８６  カーソル操作ボタン群、
８７  スタートボタン、８７Ｃ  カラーボタン、８７Ｂ  モノクロボタン、
９０  ＣＰＵ、９２  メモリ、９４  外部通信インターフェイス、
９６  操作入力インターフェイス、９８  表示制御部、１００  スキャナ制御部、
１０２  画像処理部、１０４  プリンタ制御部、１０６  カードインターフェイス、
１０８  バス、１１０  ホストコンピュータ、１１２  赤外線通信インターフェイス、
１１４  携帯電話機、１２０  電話帳リスト、１２２  件、１２４  個人情報記載欄、
１２５  ＱＲコード、１２５Ａ  ＱＲコード、１２５Ｂ  ＱＲコード、
１２５Ｃ  ＱＲコード、１２６  ＱＲコード欄、１２８  写真欄、１２９  写真、
１３０  ライン、１３２  電話帳リスト
【図１】
2007237559.tif 000003
【図２】
2007237559.tif 000004
【図３】
2007237559.tif 000005
【図４】
2007237559.tif 000006
【図５】
2007237559.tif 000007
【図６】
2007237559.tif 000008
【図７】
2007237559.tif 000009
【図８】
2007237559.tif 000010
【図９】
2007237559.tif 000011
【図１０】
2007237559.tif 000012
【図１１】
2007237559.tif 000013
【図１２】
2007237559.tif 000014